(57)【要約】      （修正有）【課題】身体にやさしいゆらぎのある温風が吹き出され、また、設置に場所を取らない温風暖房器を提供する。【解決手段】幅および高さに比べて極小さい奥行の薄型ケース１本体に、前面壁１９の上端部にファン２による吸引口１４を設ける一方、その下方部に多数の吹出口１５を散在して設け、内部の空洞に裏側風路７ａと表側風路７ｂに分割する仕切壁９を設けるとともに、仕切壁の上下両端を欠除してなる上下の開通部を形成することにより、上部開通部１１が吸引口と裏側風路との双方に開通され、且つ、裏側風路７ａが下部開通部１２で表側風路に反転してなるU字形の二重風路７が構成され、また、上部開通部の位置に、吸引口から取り入れた空気を吹出口１５から放出するよう前記ファンを設け、裏側風路にはファンからの空気を暖めるヒーター５を内装し、吹出口の排気機能を確保するために表側風路の上端に閉止片１６を設けた。【選択図】図１
2016070506.tif 000002
【特許請求の範囲】
【請求項１】
幅および高さに比べて極小さい奥行の薄型ケース本体に、前面壁の上端部にファンによる吸引口を設ける一方、その下方部に多数の吹出口を散在して設け、内部の空洞に裏側風路と表側風路に分割する仕切壁を設けるとともに、仕切壁の上下両端を欠除してなる上下の開通部を形成することにより、上部開通部が吸引口と裏側風路との双方に開通され、且つ、裏側風路が下部開通部で表側風路に反転してなるU字形の二重風路が構成され、また、上部開通部の位置に、吸引口から取り入れた空気を吹出口から放出するよう前記ファンを設け、裏側風路にはファンからの空気を暖めるヒーターを内装し、吹出口の排気機能を確保するために表側風路の上端に閉止片を設けたこと特徴とする温風暖房器。
【請求項２】
ファンは、複数の扇形羽根からなる薄型であって、一部が裏側風路の中に突入する配置において軸支されていることを特徴とする請求項１記載の温風暖房器。
【請求項３】
裏側風路には、フアンとヒーターとの間に、該部の空気を混合するよう横軸の撹拌羽根車が内装されていることを特徴とする請求項１又は２記載の温風暖房器。
【発明の詳細な説明】
【技術分野】
【０００１】
この発明は、自然風に近い温風を吹き出すように工夫した温風暖房器に関する。
【背景技術】
【０００２】
従来の温風暖房器は、本体ケースの前後面が開口されており、その中に吸引・排出ファンとヒーターとを前後に配置したもので、これによると、室内の空気を裏側から取り入れヒーターに通して加熱し、そのまま空気を前面から排出することにより室内温度を直に高める構造であった。
【発明の概要】
【発明が解決しようとする課題】
【０００３】
従来の温風暖房器は、上記の如くで、本体ケースの前後間が言わば風路であって、ここにファンとヒーターとが配列されたものであったから、ヒーターにより加熱された熱風が身体に直に触れることになる不都合があった。しかも、温風に加熱の影響が残り強弱のまだらがあることもあって、肌にはきつく感じ自然風と異なる違和感により、家庭での使用ではくつろぎが得られなく、職場での使用では近くの作業員が熱風で体の不調を訴えることがあるなどの不都合があった。また、ファンとヒーターとの配列構造から全体が不体裁に分厚くなり、しかも、壁に接近して設置できないために、設置に場所を取り、さらに、吹出口の内側に火の元のヒーターがあり安全上でも問題があった。
【０００４】
この発明は、上記のような実情に鑑みて、加熱風が本体ケース内で長い風路を経て、その間に自然風の性質を帯びるために、身体にやさしいゆらぎのある温風が吹き出され、しかも、風路の長さにもかかわらず本体ケースの厚みが小さく、また、安全に壁に接近させ得ることもあって設置に場所を取らない温風暖房器を提供することを課題とした。
【課題を解決するための手段】
【０００５】
上記の課題を解決するために、この発明は、幅および高さに比べて極小さい奥行の薄型ケース本体に、前面壁の上端部にファンによる吸引口を設ける一方、その下方部に多数の吹出口を散在して設け、内部の空洞に裏側風路と表側風路に分割する仕切壁を設けるとともに、仕切壁の上下両端を欠除してなる上下の開通部を形成することにより、上部開通部が吸引口と裏側風路との双方に開通され、且つ、裏側風路が下部開通部で表側風路に反転してなるU字形の二重風路が構成され、また、上部開通部の位置に、吸引口から取り入れた空気を吹出口から放出するよう前記ファンを設け、裏側風路にはファンからの空気を暖めるヒーターを内装し、吹出口の排気機能を確保するために表側風路の上端に閉止片を設けたこと特徴とする温風暖房器を提供する。
【０００６】
温風暖房器を上記のように構成したから、フアンを起動すると、吸引口から入った室内空気は、裏側風路に入って下降しながらヒーターを通ることにより加熱されるが、それが下部開通部で反転して表側風路に入り、表側風路で吹出口から室内に放出される。
【発明の効果】
【０００７】
以上説明したように、この発明の温風暖房器によれば、加熱風が長い風路を経るために直に身体に当たることはなく、反転も加わってその間に自然風の性質を帯びるために、身体にやさしいゆらぎのある温風が吹き出され、しかも、風路の長さにもかかわらず本体ケースの厚みを小さく設定でき、出入り口が前面に限ることで安全に壁に接近できることもあって設置に場所を取らないという優れた効果がある。
【図面の簡単な説明】
【０００８】
【図１】この発明の実施例として温風暖房器を一部切り欠いて示す斜視図である。
【図２】図１のA−A線矢視の断面図である。
【図３】同温風暖房器の背面断面図である。
【図４】図1の B−B線矢視の断面図である。
【図５】同温風暖房器に内装される撹拌羽根車である。
【図６】図５のC−C矢視の拡大断面図である。
【図７】D−D線矢視の拡大断面図である。
【発明を実施するための形態】
【０００９】
この発明の温風暖房器によれば、上下に反転する長い風路を設けるために、その中に温風や路熱を蓄えることができるから、フアンを間欠的に起動することにより、非常に柔らかい保温風を間欠的に放出できる。ヒーターを間欠的に働かせても同様の効果が得られる。いずれも省エネに適する使用の仕方である。
【００１０】
フアン２は、薄型で大径となるが、一部を裏側風路７aに納めることにより有効に機能させることができ、低速での風圧により穏やかで大風量の静音を引出し得る。
【００１１】
撹拌風車３は、ヒーターに均等に風があたるよう、風力と温度で均等性を付与することで柔らかさを得ることができ、部分的に形状を異ならせてその作用を高めることもできる。図５，６，７では左右半々で形状を異ならせてある。
【００１２】
ケース本体の大きさは自由に設計可能であるが、身丈の高さの大きさ（例えば、高さ１８００ｍｍ×幅９００ｍｍ×奥行８０ｍｍ）で、そよ風に似た柔和な風を全身で受けることができる。
【実施例】
【００１３】
図面は一実施例を示したもので、その温風暖房器は、本体ケース１に、内部を仕切板９により分割し、温風の長い経路７を設けるとともに、吸引・排出ファン２、温風撹拌用の風車３、ヒーター５等が内装される。
【００１４】
本体ケース１は、人の身丈ほどに高い矩形で且つ前面壁１９と背面壁２０との間が少ない薄型で、薄型において空洞であって、厚み中間部に仕切板９を設け、仕切板９の上下に端部が欠除してなる開通部１１，１２が開設される。こうして風洞が二分されることにより、下端開通部１２で反転するＵ字形経路７が長く形成され、その経路７の先端に閉止片１６が形成される。
【００１５】
本体ケース１には、前面壁１９に横３個ずつ縦５段にして、計１５個の丸孔を設けてある。前記閉止片１６の位置関係から、そのうち、最上段の３個の丸孔が吸引口１４，１４，１４として、それより下段の残り全部の丸孔が吹出口１５，１５、・・としてそれぞれ機能する。
【００１６】
つまり、仕切板９の上端に風路７ｂが閉ざされる前記閉止片１６が設けられ、前面壁１３で見ると最上段の丸孔より少し下に存在しているので、上端の丸孔が開通部１１に向かう吸引口１４，１４，１４となっている。これに対して、表側風路７が抜けるよう下の丸孔が吹出口１５，１５、・・となっている。
【００１７】
反転した二重風路７は、仕切板９により裏側の下降風路７ａと表側の上昇風路７ｂとが下端開通部１２で反転するＵ字形通路として極めて長くなっており、温度の保存に適する構造となっており、上の開通部１１に吸引・排出フアン２が設けられているので、保温されている暖風が吹出口１５，１５、・・に押し出され吹き出される。
【００１８】
吸引・排出フアン２は、扇形の広い形状の六枚羽根２a、２a、・・がボス１３（モーター内蔵）に取り付けられ、極薄い構造であって、本体ケース１の背面壁２０に面し下半部が風路７aに入っている。そこで、フアン２のゆっくりした回転でも吸引された空気が風路７ａに押し込まれ、最終的には表側風路７ｂに至り吹出口１５，１５、・・から排出される。
【００１９】
ファン２の下には横長の撹拌風車３が配置されている。左右で異なる形態であって、回転軸２３には、不規則に羽根２５，２６が取り付けられている。
【００２０】
これはモーター１８により回転し温風を撹拌するもので、これにより下降風力が均一に緩和され、下方のヒーター５，５，５・・に送風されると、ここでは均一に温度が付与される。また、該部は、ヒーター５，５，５・・の配列で発熱部であると同時に保温部であるので、フアン２を間欠的に運転すると、やすらぎに適した保温風の放出だけの時間を間欠的に（ファンの起動時だけに）設定できる。また、フアン２を常時起動させ、ヒーター５の起動を間欠的にすることでも、自然風に近づけることができる。
【００２１】
空洞の上端部は仕切板９が欠除した開通部１１として広くなっている。吸引・排出フアン２は、半部が開通部１１に半部が下降風路７aに位置している。扇形に広く形成された六枚羽根2a,２a・・の薄型ファンであって、モーター組込み軸１７として構成される。なお、フアン２の一部が裏側風路７aに突っ込まれた状態であるので、薄型ファンであっても、吸引排出力をこの風路７a側へ及ぼしやすい。つまり、撹拌風車３およびヒーター５，５、・・を経て、また開通部１２で反転することにより上昇して最終的に吹出口１５，１５、・・から自然風を放出する機能を確保しやすい。
【００２２】
吹出口１５，１５、・・は、丸孔であるとともに周縁に内側へ突出する内鍔２１を有する。したがって、温風は吹出口１５から出る前に内鍔２１で止められるため、これによっても、温風は強さ、暖かさが均一に緩和され、しかも、短筒形の内鍔２１に誘導されて温風を広く水平に吹き出しやすい。
【符号の説明】
【００２３】
１  本体ケース
２  ファン
３  撹拌羽根車
５  ヒーター
７  二重風路
７ａ  裏側風路
７ｂ  表側風路
９  仕切板
１１  上端開通部
１２  下端開通部
１４  吸引口
１５  吹出口
１６  閉止片
２１  縁鍔
【図１】
2016070506.tif 000003
【図２】
2016070506.tif 000004
【図３】
2016070506.tif 000005
【図４】
2016070506.tif 000006
【図５】
2016070506.tif 000007
【図６】
2016070506.tif 000008
【図７】
2016070506.tif 000009